(57)【特許請求の範囲】
【請求項１】
混練材料を投入する混練槽と、該混練槽に回転自在に貫通した二本の平行な混練軸と、各混練軸を相反方向へ回転駆動させるための二個の駆動用モータと、該駆動用モータの回転数を減速して混練軸に伝達する減速機とを備えた二軸式ミキサであって、一方の減速機にその入力軸と平行に同調軸を回転自在に備え、該同調軸と前記入力軸とを同調ギヤにて噛合させて同調軸を入力軸と相反方向に回転させて同調軸と他方の減速機の入力軸の回転方向を同一方向に揃えると共に、同調軸の一端部には第一の同調プーリを固着し、該第一の同調プーリと他方の減速機の入力軸の一端部に固着した第二の同調プーリとをタイミングベルトにて巻回して各混練軸の回転を同調させるように構成したことを特徴とする二軸式ミキサ。
【発明の詳細な説明】
【技術分野】
【０００１】
本発明は、例えば生コンクリートなどを製造するのに適した二軸式ミキサに関する。
【背景技術】
【０００２】
従来、生コンクリートなどを製造するミキサとして、例えば二軸式ミキサがある。図７、図８は、本出願人が以前出願した二軸式ミキサを説明する図面であり、この二軸式ミキサ１０１、１０１´は、混練材料を投入する混練槽１０２内に二本の平行な混練軸１０３を貫通させ、その端部を混練槽１０２に固定した軸受１０４にて回転自在に軸支していると共に、混練軸１０３の周囲には放射状に多数の混練羽根１０５を備えている。前記混練軸１０３の一端側には減速機１０６を設け、該減速機１０６の出力軸１０７と混練軸１０３とを連結している一方、減速機１０６の入力軸１０８に固着したプーリ１０９と、減速機１０６上位に備えた駆動用モータ１１０の出力軸１１１に固着したプーリ１１２とをＶベルト１１３にて巻回しており、駆動用モータ１１０からの駆動力を減速機１０６を介して混練軸１０３に伝達して所定の速度で回転させるように構成している（特許文献１参照）。
【０００３】
また、各混練軸１０３を回転させる際にそれぞれの混練羽根１０５が干渉しないように各種の同調機構が採用されており、例えば図７に示される二軸式ミキサ１０１では、各混練軸１０３の端部に固着した同調ギヤ１１４同士を噛合させて各混練軸１０３の回転を同調させるようにしている。また、図８に示される二軸式ミキサ１０１´では、前記同調ギヤに代えて、各減速機１０６の側方に備えた入力軸１０８同士をカップリング機構１１５にて連結しており、これにより各混練軸１０３の回転の同調を図りながらミキサのコンパクト化も図っている。
【０００４】
図９は、図８に示される二軸式ミキサ１０１´に採用される減速機１０６であって、前記の通り、各減速機１０６の入力軸１０８同士を同調機構であるカップリング機構１１５にて連結させるため、各入力軸１０８を対向させるように減速機１０６の側方に備えている。このとき、入力軸１０８は、図９に示すように、出力軸１０７と直行方向に配置されることになるため、出力軸１０７と同じ軸心上には従入力軸１０８´を別途配置すると共に、これら入力軸１０８と従入力軸１０８´とをベベルギヤ１１６、１１６´にて噛合させることにより、入力軸１０８からの駆動力を直行方向の従入力軸１０８´を介して出力軸１０７側に伝達可能としている。
【先行技術文献】
【特許文献】
【０００５】
【特許文献１】特開２００４−１１４００８号公報
【発明の概要】
【発明が解決しようとする課題】
【０００６】
しかしながら、上記カップリング機構を採用した二軸式ミキサにて、混練軸の同調用として採用されているベベルギヤは、直交するギヤ同士の噛み合わせ部分に高い精度が求められるため一般的に製作コストが高く付きやすく、そのことが装置コストの低廉化を妨げる一因ともなっている。
【０００７】
本発明は上記の点に鑑み、混練軸の同調機構を安価なもので構成し、装置コストの低廉化を図った二軸式ミキサを提供することを課題とする。
【課題を解決するための手段】
【０００８】
本発明は上記の課題を解決するために、請求項１記載の二軸式ミキサにあっては、混練材料を投入する混練槽と、該混練槽に回転自在に貫通した二本の平行な混練軸と、各混練軸を相反方向へ回転駆動させるための二個の駆動用モータと、該駆動用モータの回転数を減速して混練軸に伝達する減速機とを備えた二軸式ミキサであって、一方の減速機にその入力軸と平行に同調軸を回転自在に備え、該同調軸と前記入力軸とを同調ギヤにて噛合させて同調軸を入力軸と相反方向に回転させて同調軸と他方の減速機の入力軸の回転方向を同一方向に揃えると共に、同調軸の一端部には第一の同調プーリを固着し、該第一の同調プーリと他方の減速機の入力軸の一端部に固着した第二の同調プーリとをタイミングベルトにて巻回して各混練軸の回転を同調させるように構成したことを特徴としている。
【発明の効果】
【０００９】
本発明に係る請求項１記載の二軸式ミキサによれば、一方の減速機にその入力軸と平行に同調軸を回転自在に備え、該同調軸と前記入力軸とを同調ギヤにて噛合させて同調軸を入力軸と相反方向に回転させて同調軸と他方の減速機の入力軸の回転方向を同一方向に揃えると共に、同調軸の一端部には第一の同調プーリを固着し、該第一の同調プーリと他方の減速機の入力軸の一端部に固着した第二の同調プーリとをタイミングベルトにて巻回して各混練軸の回転を同調させるように構成したので、混練軸の同調機構を比較的安価に構成でき、装置コストの低廉化を図ることが可能となる。
【図面の簡単な説明】
【００１０】
【図１】本発明に係る二軸式ミキサの一実施例を示す正面図である。
【図２】図１の平面図である。
【図３】図１の側面図である。
【図４】図１の一部を切り欠いた要部拡大図である。
【図５】図２の要部拡大図である。
【図６】図３の要部拡大図である。
【図７】従来例を示す図２に相当する図である。
【図８】別の従来例を示す図２に相当する図である。
【図９】図８の減速機部分の一部切り欠き拡大図である。
【発明を実施するための形態】
【００１１】
本発明に係る請求項１記載の二軸式ミキサにあっては、混練槽に二本の平行な混練軸を備え、これら各混練軸を相反方向へ回転駆動させる二個の駆動用モータを備えていると共に、該駆動用モータの回転数を減速して混練軸に伝達する減速機を備えている。また、一方の減速機にはその入力軸と平行に同調軸を回転自在に備え、該同調軸と前記入力軸とをそれぞれ同調ギヤにて噛合させて同調軸を入力軸と相反方向に回転させて同調軸と他方の減速機の入力軸の回転方向を同一方向に揃えるようにしていると共に、同調軸の一端部には第一の同調プーリを固着している。また、他方の減速機の入力軸の一端部にも同様の構造を有する第二の同調プーリを固着しており、これら各同調プーリにタイミングベルトを巻回して各混練軸の回転を同調させるように構成している。
【００１２】
なお、各減速機の入力軸は混練軸と同様にそれぞれ相反方向に回転させるため、これら各入力軸同士にタイミングベルトを直接巻回させて同調させるといったことはできないものの、本案の同調機構では、上記の通り、一方の減速機の入力軸と平行に同調軸を別途配置して入力軸と相反方向に回転させるようにしたことにより、この同調軸と他方の減速機の入力軸の回転方向を同一方向に揃えられタイミングベルトによる同調を可能としている。
【００１３】
このように、従来装置の混練軸の同調機構に採用されていたベベルギヤに代えて、プーリやタイミングベルトなどの比較的安価な構成品にて同調機構を構成することができ、装置コストの低廉化を図ることが可能となる。
【実施例】
【００１４】
以下、本発明の実施例を図面に基づいて説明する。
【００１５】
図１乃至図６は、本発明の二軸式ミキサの一実施例を示す図面であって、図中の１は、各種材料を混練する二軸式ミキサ本体であり、二双の胴より成る混練槽２内に二本の平行な混練軸３（３´）を貫通しており、該混練軸３（３´）の両端部を混練槽２に固設した軸受４にて回転自在に軸支していると共に、各混練軸３（３´）には回転軌跡が混練槽２の内壁に沿うように回転して混練槽２内の材料を混練軸３（３´）方向へ連続的に送り出す二条の螺旋羽根５をアーム６を介して備えている。
【００１６】
７（７´）は前記混練軸３（３´）を回転駆動させるための駆動用モータであり、その側方には駆動用モータ７（７´）の回転数を減速して混練軸３（３´）に伝達する減速機８（８´）を配設している。また、前記減速機８（８´）は、駆動用モータ７（７´）からの駆動力を受け取る入力軸９（９´）と、受け取った駆動力を外部へ伝達する出力軸１０（１０´）とを備えており、前記入力軸９（９´）にはプーリ１１（１１´）を、駆動用モータ７（７´）の駆動軸１２（１２´）にもプーリ１３（１３´）を固着し、これら各プーリ１１、１３（１１´、１３´）にはＶベルト１４（１４´）を巻回している一方、前記出力軸１０（１０´）は混練軸３（３´）と連結している。
【００１７】
減速機８（８´）は、縦長に形成したケーシング１５（１５´）内部の上下位置にそれぞれ入力軸９（９´）と出力軸１０（１０´）を混練軸３（３´）と平行に回転自在に軸支し、またこれら入力軸９（９´）と出力軸１０（１０´）の中間位置には複数の回転軸１６、１７（１６´、１７´）を平行に軸支していると共に、これら入力軸９（９´）や、回転軸１６、１７（１６´、１７´）及び出力軸１０（１０´）はそれぞれヘリカルギヤ１８ａ、１８ｂ、１８ｃ（１８ａ´、１８ｂ´、１８ｃ´）にて噛合させており、入力軸９（９´）の回転を回転軸１６、１７（１６´、１７´）を介して出力軸１０（１０´）に連動させている。また、前記ヘリカルギヤ１８ａ〜１８ｃ（１８ａ´〜１８ｃ´）は、入力側から出力側に向かうにつれて徐々にその径が大きくなるように形成しており、駆動用モータ７（７´）によって回転する入力軸９（９´）の回転速度を徐々に減速させながらトルクを増加させて出力軸１０（１０´）に伝達させる構成としている。
【００１８】
また、一方の減速機８には、その入力軸９と平行に同調軸１９を回転自在に軸支し、該同調軸１９と入力軸９とを同調ギヤ２０にて噛合させ、同調軸１９を入力軸９と相反方向に回転させるようにしている。また、同調軸１９の一端部に第一の同調プーリ２１を固着している一方、他方の減速機８´の入力軸９´の一端部に第二の同調プーリ２１´を固着しており、これら各同調プーリ２１、２１´にはタイミングベルト２２を巻回して各混練軸３、３´の回転を同調させるように図っている。
【００１９】
なお、各減速機８、８´の入力軸９、９´は混練軸３、３´と同様に相反方向に回転させるため、これら各入力軸９、９´同士にタイミングベルトを直接巻回して同調させるといったことはできないが、本案の同調機構においては、一方の減速機８の入力軸９と平行に同調軸１９を別途配置し、同調ギヤ２０にて入力軸９と相反方向に回転させるようにしたことにより、この同調軸１９に固着される同調プーリ２１と、他方の減速機８´の入力軸９´に固着される同調プーリ２１´の回転方向を同一方向に揃えることができ、それによってタイミングベルト２２での同調を可能としている。
【００２０】
このように、本発明によれば、二軸式ミキサの同調機構をプーリやタイミングベルトなどの比較的安価な構成品にて構成することが可能となり、装置コストの低廉化が期待できる。
【００２１】
なお、本実施例においては、同調機構をプーリやタイミングベルトにて構成したが、例えば、プーリに代えてスプロケットを、タイミングベルトに代えてチェーンを採用することもできる。
【符号の説明】
【００２２】
１…二軸式ミキサ                      ２…混練槽
３、３′…混練軸                    ５…螺旋羽根
６…アーム                          ７、７´…駆動用モータ
８、８´…減速機                    ９、９´…入力軸
１０、１０´…出力軸                １９…同調軸
２０…同調ギヤ                      ２１、２１´…同調プーリ
２２…タイミングベルト
【図１】
0005569930.tif 000002
【図２】
0005569930.tif 000003
【図３】
0005569930.tif 000004
【図４】
0005569930.tif 000005
【図５】
0005569930.tif 000006
【図６】
0005569930.tif 000007
【図７】
0005569930.tif 000008
【図８】
0005569930.tif 000009
【図９】
0005569930.tif 000010